(57)【特許請求の範囲】
【請求項１】
ハウジングと、
前記ハウジング内にスライド可能に配置されたピストンロッドと、
前記ピストンロッドの少なくとも一部のまわりに同心で配置されるように、前記ハウジングの第１の部分内に固定された第１のロッドガイド部材と、
前記ピストンロッドの少なくとも別の部分のまわりに同心で配置されるように、前記第１のロッドガイド部材に隣接して、前記ハウジング内に固定された第２のロッドガイド部材と、
前記第２のロッドガイド部材内に、かつ前記第１のロッドガイド部材と連通して配置された電子制御式弁アセンブリと、
前記第１のロッドガイド部材のチャネル内に取り外し可能に固定された回路板と、
を含み、
前記電子制御式弁アセンブリは、
スリーブと、
前記スリーブ内に移動可能に配置されたアーマチュアと、
前記アーマチュアに隣接して配置されたコイルアセンブリと、
を含み、
前記回路板は、前記アーマチュアを作動させるために、前記電子制御式弁アセンブリと通信する、ショックアブソーバ。
【請求項２】
前記電子制御式弁アセンブリは、複数の電子制御式弁を含む、請求項１に記載のショックアブソーバ。
【請求項３】
前記複数の電子制御式弁は、前記ピストンロッドの軸方向に整列する、請求項２に記載のショックアブソーバ。
【請求項４】
前記電子制御式弁アセンブリを前記第２のロッドガイド部材に固定する保持リングをさらに含む、請求項１に記載のショックアブソーバ。
【請求項５】
防振装置が、前記保持リングの第１の面に配置され、前記防振装置は、回路板を前記第２のロッドガイド部材から振動的に切り離す、請求項４に記載のショックアブソーバ。
【請求項６】
前記第１のロッドガイド部材の開孔と前記第２のロッドガイド部材の開孔との間を流体連通する排液戻しチューブをさらに含む、請求項１に記載のショックアブソーバ。
【請求項７】
前記ピストンロッドから前記ハウジングまで延びる前記第２のロッドガイド部材の開孔をさらに含み、前記開孔は、前記開孔に配置された逆止弁を有する、請求項１に記載のショックアブソーバ。
【請求項８】
前記第２のロッドガイド部材は、前記第２のロッドガイド部材の上側面に配置された半径方向スロットを含み、前記半径方向スロットは、前記ピストンロッドと、前記ピストンロッドから軸がずれた、長手方向に延びるチャネルとの間の流体連通を可能にする、請求項１に記載のショックアブソーバ。
【請求項９】
第１の流体チャンバを画定するハウジングと、
前記ハウジング内でスライドし、第２の流体チャンバを画定するピストンロッドと、
前記ハウジング内で前記ピストンロッドを案内するロッドガイドと
を含むショックアブソーバであって、前記ロッドガイドは、
上側ロッドガイド部材であって、前記ピストンロッドをスライド可能に受け入れる中心開孔を有する、上側ロッドガイド部材と、
前記上側ロッドガイド部材に隣接する下側ロッドガイド部材であって、前記ピストンロッドをスライド可能に受け入れる中心開孔を有する、下側ロッドガイド部材と、
前記下側ロッドガイド部材内に、かつ前記上側ロッドガイド部材と連通して配置された電子制御式弁アセンブリであって、前記第１の流体チャンバと前記第２の流体チャンバとの間の流体流れを調量する電子制御式弁アセンブリと、
前記上側ロッドガイド部材のチャネル内に取り外し可能に固定された回路板と、
をさらに含み、
前記電子制御式弁アセンブリは、
スリーブと、
前記スリーブ内に移動可能に配置されたアーマチュアと、
前記アーマチュアに隣接して配置されたコイルアセンブリと、
を含み、
前記回路板は、前記アーマチュアを作動させるために、前記電子制御式弁アセンブリと通信する、ショックアブソーバ。
【請求項１０】
前記電子制御式弁アセンブリは、複数の電子制御式弁を含む、請求項９に記載のショックアブソーバ。
【請求項１１】
前記複数の電子制御式弁は、前記ピストンロッドの軸方向に整列する、請求項１０に記載のショックアブソーバ。
【請求項１２】
前記電子制御式弁アセンブリを前記下側ロッドガイド部材に固定する保持リングをさらに含む、請求項９に記載のショックアブソーバ。
【請求項１３】
回路板を前記下側ロッドガイド部材から振動的に切り離すために、防振装置およびガスケットのうちの１つが、前記保持リングの第１の面に配置される、請求項１２に記載のショックアブソーバ。
【請求項１４】
前記上側ロッドガイド部材の開孔と前記下側ロッドガイド部材の開孔との間を流体連通する排液戻しチューブをさらに含む、請求項９に記載のショックアブソーバ。
【請求項１５】
前記第２の流体チャンバから前記第１の流体チャンバまで延びる前記下側ロッドガイド部材の開孔をさらに含み、前記開孔は、前記開孔に配置された逆止弁を有する、請求項９に記載のショックアブソーバ。
【請求項１６】
前記下側ロッドガイド部材は、前記下側ロッドガイド部材の上側面に配置された半径方向スロットを含み、前記半径方向スロットは、前記ピストンロッドと、前記ピストンロッドから軸がずれた、長手方向に延びるチャネルとの間の連通を可能にする、請求項９に記載のショックアブソーバ。
【発明の詳細な説明】
【技術分野】
【０００１】
関連出願の相互参照
本願は、２０１３年７月２２日に出願された米国特許出願第１３／９４７，１６９号明細書の優先権を主張し、さらに、２０１３年３月１５日に出願された米国仮特許出願第６１／７８６，６８２号明細書の利益を主張するものである。上記出願の開示全体は、参照により本明細書に援用されるものとする。
【０００２】
本開示は、概して、自動車に使用されるサスペンションシステムなどのサスペンションシステムで使用する油圧ダンパまたはショックアブソーバに関する。より詳細には、本開示は、ショックアブソーバ用の改良されたロッドガイドアセンブリに関する。
【背景技術】
【０００３】
このセクションでは、必ずしも先行技術ではない、本開示に関連する背景情報が提示される。
【０００４】
ショックアブソーバは、走行中に発生する望ましくない振動を吸収するために、自動サスペンションシステムと共に使用される。望ましくない振動を吸収するために、ショックアブソーバは、通常、自動車のばね上部分（ボディ）とばね下部分（サスペンション）との間に連結される。ピストンは、ショックアブソーバの圧力チューブ内に配置され、圧力チューブは、車両のばね下部分に連結される。ピストンは、圧力チューブを貫通するピストンロッドによって、自動車のばね上部分に連結される。ピストンは、圧力チューブを上側作動チャンバおよび下側作動チャンバに分割し、これらチャンバの両方が油圧流体で満たされる。ピストンは、弁を通じて、ショックアブソーバが伸縮するときに上側および下側作動チャンバ間の油圧流体の流れを制限できるため、ショックアブソーバは制振力を発生させることができ、この制振力は、本来であれば車両のばね下部分からばね上部分に伝達されるであろう振動を抑制する。二重チューブショックアブソーバでは、流体貯蔵器または貯蔵チャンバが、圧力チューブと貯蔵チューブとの間に画定される。ベース弁は、下側作動チャンバと貯蔵チャンバとの間に配置されて、同様に制振力を発生させ、この制振力は、本来であれば車両のばね下部分から自動車のばね上部分に伝達されるであろう振動を抑制する。
【０００５】
上記のように、二重チューブショックアブソーバの場合、ピストン上の弁は、ショックアブソーバが伸長して制振負荷を発生させたときに、上側および下側作動チャンバ間の制振流体の流れを制限する。ベース弁上の弁は、ショックアブソーバが圧縮されて制振負荷を発生させたときに、下側作動チャンバと貯蔵チャンバとの間の制振流体の流れを制限する。単一チューブショックアブソーバの場合、ピストン上の弁は、ショックアブソーバが伸縮して、制振負荷を発生させたときに、上側および下側作動チャンバ間の制振流体の流れを制限する。運転中、サスペンションシステムは、ジャウンス（圧縮）およびリバウンド（伸長）して動く。ジャウンス動作中に、ショックアブソーバは圧縮されて、二重チューブショックアブソーバでは、ベース弁を通して制振流体を移動させ、または単一チューブショックアブソーバでは、ピストン弁を通して制振流体を移動させる。ベース弁またはピストンに配置された制振弁は、制振流体の流れを制御し、ひいては、発生する制振力を制御する。リバウンド動作中に、ショックアブソーバは伸長して、二重チューブショックアブソーバおよび単一チューブショックアブソーバの両方で、ピストンを通して制振流体を移動させる。ピストンに配置された制振弁は、制振流体の流れを制御し、ひいては、発生する制振力を制御する。
【０００６】
二重チューブショックアブソーバでは、ピストンおよびベース弁は通常、複数の圧縮路および複数の伸長路を含む。二重チューブショックアブソーバでのジャウンスまたは圧縮動作時、制振弁またはベース弁は、流体流れを制御して制振負荷を発生させるために、ベース弁内の圧縮路を開く。ピストン上の逆止弁は、上側作動チャンバ内の制振流体を移動させるために、ピストン内の圧縮路を開くが、この逆止弁は、制振負荷に寄与しない。圧縮動作時、ピストン上の制振弁は、ピストンの伸長路を閉じ、ベース弁上の逆止弁は、ベース弁の伸長路を閉じる。二重チューブショックアブソーバでのリバウンドまたは伸長動作時、ピストン上の制振弁は、流体流れを制御して制振負荷を発生させるために、ピストン内の伸長路を開く。ベース弁上の逆止弁は、下側作動チャンバ内の制振流体を移動させるために、ベース弁内の伸長路を開くが、この逆止弁は、制振負荷に寄与しない。
【０００７】
単一チューブショックアブソーバでは、ピストンは通常、複数の圧縮路および複数の伸長路を含む。ショックアブソーバはまた、当技術分野で公知のように、流体のロッド体積流量を補償する手段を含む。単一チューブショックアブソーバでのジャウンスまたは圧縮動作時、ピストン上の圧縮制振弁は、流体流れを制御して制振負荷を発生させるために、ピストン内の圧縮路を開く。ピストン上の伸長制振弁は、ジャウンス動作中に、ピストンの伸長路を閉じる。単一チューブショックアブソーバでのリバウンドまたは伸長動作時、ピストン上の伸長制振弁は、流体流れを制御して制振負荷を発生させるために、ピストン内の伸長路を開く。ピストン上の圧縮制振弁は、リバウンド動作中に、ピストンの圧縮路を閉じる。
【０００８】
ほとんどのダンパの場合、制振弁は、通常閉／開弁として設計される。この閉／開設計のために、これらの受動弁システムは、車両の様々な動作条件に応じて、発生する制振負荷を調整する能力を制限される。したがって、一部の弁は、同時係属中の共同所有の米国特許出願第１２／５７３，９１１号明細書（整理番号第１３１６Ｎ−００１７３１号）などにおいて、制振流体の抽出流れを含むように設計されている。このタイプの設計は効果的に機能するが、狭い寸法公差で製造される高精度の構成要素を必要とする。
【発明の概要】
【課題を解決するための手段】
【０００９】
このセクションは、本開示の全体的な概要を提示しており、最大範囲の、またはすべての特徴部の包括的な開示ではない。
【００１０】
ショックアブソーバは、ピストンロッドアセンブリに対する案内動作を行い、かつ電子制御式弁アセンブリを収容するためのロッドガイド部材を含む。ロッドガイドアセンブリは、第２のロッドガイド部材に連結され、ショックアブソーバのハウジング内に固定された第１のロッドガイド部材を含む。第１および第２のロッドガイド部材は、低精度、高生産プロセスで製造可能である。
【００１１】
本明細書に提示された説明から、さらなる適用可能分野が明らかになるであろう。この概要における説明および特定の例は、単に例示することを意図され、本開示の範囲を限定することを意図されたものではない。
【００１２】
本明細書で説明される図面は、選択された実施形態を例示することのみを目的とし、すべての可能な実施例ではなく、本開示の範囲を限定することを意図されていない。
【図面の簡単な説明】
【００１３】
【図１】本開示によるロッドガイドアセンブリを内蔵したショックアブソーバを有する自動車の図である。
【図２】本開示によるロッドガイドアセンブリを内蔵した二重チューブショックアブソーバを部分断面で示した側面図である。
【図３】図２に示すショックアブソーバからのロッドガイドアセンブリを部分断面で示した拡大側面図である。
【図４】本開示の別の実施形態によるロッドガイドアセンブリの一部を断面で示した拡大側面図である。
【図５】本開示の別の実施形態によるロッドガイドアセンブリの一部の断面図である。
【図６】本開示の別の実施形態によるロッドガイドアセンブリの一部の断面図である。
【図７】本開示の別の実施形態によるロッドガイドアセンブリの一部の断面図である。
【図８】本開示の別の実施形態によるロッドガイドアセンブリの一部の断面図である。
【発明を実施するための形態】
【００１４】
対応する参照番号は、図面のいくつかの図全体にわたって対応する要素を示している。
【００１５】
以下の説明は、実際上、単なる例示であり、本開示、用途、または使用法を限定することを意図されていない。図１には、本発明によるショックアブソーバを有するサスペンションシステムを内蔵した車両が示されており、車両は、全体的に参照番号１０で表されている。車両１０は、フロントおよびリアアクスルアセンブリを有する乗用車として図示した。しかし、本発明によるショックアブソーバは、他のタイプの車両と共に、または他のタイプの用途で使用することができる。これらの代替となる構成の例には、それらに限定されるものではないが、非独立型フロントおよび／または非独立型リアサスペンションを内蔵した車両、独立型フロントおよび／または独立型リアサスペンションを内蔵した車両、あるいは当技術分野で公知の他のサスペンションシステムがある。さらに、本明細書で使用する「ショックアブソーバ」という用語は、一般にダンパを指すことを意図され、したがって、マクファーソンストラットおよび当技術分野で公知の他のダンパ設計を含む。
【００１６】
車両１０は、リアサスペンション１２、フロントサスペンション１４、およびボディ１６を含む。リアサスペンション１２は、１対のリアホイール１８を動作可能に支持するように構成された、横方向に延びるリアアクスルアセンブリ（図示せず）を有する。リアアクスルは、１対のショックアブソーバ２０および１対のスプリング２２によってボディ１６に取り付けられている。同様に、フロントサスペンション１４は、１対のフロントホイール２４を動作可能に支持するための横方向に延びるフロントアクスルアセンブリ（図示せず）を含む。フロントアクスルアセンブリは、１対のショックアブソーバ２６および１対のばね２８によって、ボディ１６に取り付けられている。ショックアブソーバ２０、２６は、車両１０のばね上部分（すなわち、ボディ１６）に対するばね下部分（すなわち、リアサスペンション１２およびフロントサスペンション１４）の相対運動を弱めるように機能する。
【００１７】
ここで図２を参照すると、ショックアブソーバ２０がさらに詳細に示されている。図２は、ショックアブソーバ２０のみを示しているが、ショックアブソーバ２６は、ショックアブソーバ２０と実質的に同様であることが理解される。ショックアブソーバ２６は、車両１０のばね上およびばね下質量に連結されるように構成される方法においてのみ、ショックアブソーバ２０と異なる。ショックアブソーバ２０は、圧力チューブ３０、ピストンアセンブリ３２、ピストンロッド３４、貯蔵チューブ３６、ベース弁アセンブリ３８、およびロッドガイドアセンブリ４０を含む。
【００１８】
圧力チューブ３０は、作動チャンバ４２を画定する。ピストンアセンブリ３２は、圧力チューブ３０内にスライド可能に配置され、作動チャンバ４２を上側作動チャンバ４４と下側作動チャンバ４６とに分割している。シール４８は、ピストンアセンブリ３２と圧力チューブ３０との間に配置されて、過度の摩擦力を発生させることなく、圧力チューブ３０に対するピストンアセンブリ３２のスライド動作を可能にする。シール４８はまた、上側作動チャンバ４４を下側作動チャンバ４６から封止するように機能する。ピストンロッド３４は、ピストンアセンブリ３２に取り付けられ、上側作動チャンバ４４と、ロッドガイドアセンブリ４０とを貫通している。ピストンアセンブリ３２とは反対側のピストンロッド３４の端部は、車両１０のばね上質量に固定されるように構成されている。ピストンアセンブリ３２内の弁は、圧力チューブ３０内でのピストンアセンブリ３２の移動中に、上側作動チャンバ４４と下側作動チャンバ４６との間の流体の移動を制御する。圧力チューブ３０に対するピストンアセンブリ３２の移動により、上側作動チャンバ４４で移動する流体の量と、下側作動チャンバ４６で移動する流体の量とに差が生じる。これは、主に、ピストンロッド３４が上側作動チャンバ４４のみを貫通し、下側作動チャンバ４６を通らないからである。移動流体の量の差は「ロッド体積」として知られており、その流体はベース弁アセンブリ３８を流れる。
【００１９】
貯蔵チューブ３６は、チューブ３０、３６間に配置された流体貯蔵器チャンバ５０を画定するように圧力チューブ３０を囲んでいる。貯蔵チューブ３６の底端は、車両１０のばね下質量に連結されるように構成されたベースカップ５２によって閉じられている。貯蔵チューブ３６の上端は、ロッドガイドアセンブリ４０まで延びることができ、または、図示したように、貯蔵チャンバ５０は、上側缶５４で閉じることもでき、さらに、上側缶５４は、ロッドガイドアセンブリ４０を覆う円筒形とされる。ベース弁アセンブリ３８は、チャンバ４６、５０間の流体の流れを制御するために、下側作動チャンバ４６と貯蔵器チャンバ５０との間に配置されている。ショックアブソーバ２０の長さが伸長する場合（すなわち、ピストンロッド３４が、上側缶５４の上方外側方向に移動する場合）、「ロッド体積」という概念により、下側作動チャンバ４６内の流体量を増量する必要がある。したがって、流体が、貯蔵器チャンバ５０からベース弁アセンブリ３８を通って下側作動チャンバ４６に流れる。反対に、ショックアブソーバ２０の長さが縮む場合（すなわち、ピストンロッド３４がベース弁アセンブリ３８に向かって移動する場合）、「ロッド体積」という概念により、余分な流体を下側作動チャンバ４６から除去しなければならない。したがって、流体は、下側作動チャンバ４６からベース弁アセンブリ３８を通って貯蔵器チャンバ５０に流れる。
【００２０】
ここで図３を参照すると、ロッドガイドアセンブリ４０がさらに詳細に示されている。ロッドガイドアセンブリ４０は、シールアセンブリ６０、上側ロッドガイド６２、下側ロッドガイド６４、回路板６６、少なくとも１つの電子制御式弁アセンブリ６８、および保持リング７０を含む。シールアセンブリ６０は、上側缶５４と接するように、上側ロッドガイド６２に組み込まれ、逆止シール７２を含む。逆止シール７２は、流体が、ピストンロッド３４と上側ブッシュ７４との境界面から、様々な流体路（図示せず）を通って、貯蔵器チャンバ５０に流れるのを可能にするが、貯蔵器チャンバ５０から、ピストンロッド３４と上側ブッシュ７４との間の境界面への逆方向の流体流れを阻止する。一例では、上側ブッシュ７４は、ピストンロッド３４をスライド可能に保持するために、テフロンコーティングされたベアリングとすることができる。
【００２１】
上側ロッドガイド６２は、最初に、上側缶５４に組み込むことができ、または上側缶５４に取り付ける前に、下側ロッドガイド６４に前もって組み付けることもできる。次いで、上側缶５４は、圧力チューブ３０が下側ロッドガイド６４に組み付けられた状態で、貯蔵チューブ３６に組み付けることができる。特に、圧力チューブ３０および貯蔵チューブ３６をそれぞれ上側缶５４および下側ロッドガイド６４に圧入して、ロッドガイドアセンブリ４０を圧力チューブ３０および貯蔵チューブ３６で保持することができる。
【００２２】
上側ロッドガイド６２は、中心開孔８２が貫通し、同心チャネル８４が下側面８６から延びる略管状の本体８０を有することができる。上側ロッドガイド６２は、粉末金属成形、金属射出成形（ＭＩＭ）、または他の鋳造／成形プロセスなどの従来の成形プロセスから製造することができる。上側ロッドガイド６２は、中心開孔８２の上側部分でシールアセンブリ６０を収容することができ、一方、ブッシュ７４は、中心開孔８２の下側部分に組み込むことができる。ブッシュ７４は、ピストンロッド３４用の封止面も提供しながら、ピストンロッド３４のスライド動作に対応するように、中心開孔８２のまわりで上側ロッドガイド６２に圧入することができる。同心チャネル８４は、少なくとも回路板６６を受け入れる大きさとすることができ、回路板６６を上側ロッドガイド６２内の所定の位置に保持するための複数の支持棒８８を含むことができる。
【００２３】
下側ロッドガイド６４も、中心開孔９２が貫通する略管状の本体９０を有することができる。上側ロッドガイド６２と同様に、下側ロッドガイド６４は、粉末金属成形、金属射出成形（ＭＩＭ）、または他の鋳造／成形プロセスなどの従来の成形プロセスから製造することができる。本体９０は、上側缶５４に対して封止し、流れ特性の改善を可能にし、圧力チューブ３０と嵌合するために、外径が連続的に小さくなる３つの異なる領域を有することができる。例えば、本体９０の上側領域９４は、上側缶５４の内径と一致した大きさの第１の外径を有することができる。上側領域９４は、シールリングまたはＯリング９８を受け入れるために、第１の外径のまわりに延びる溝９６を有することができる。複数の開孔１００は、中心開孔９２のまわりに同心で配置されるように、上側領域９４で本体９０を貫通することができる。開孔１００は、電子制御式弁アセンブリ６８を受け入れる大きさとすることができる。ロッドガイドアセンブリ４０で使用するのに、４つの電子制御式弁アセンブリ６８が示されているが、任意の数の電子制御式弁アセンブリ６８を設けることができる。
【００２４】
開孔１００は、本体９０の上側領域９４から中央領域１０２まで延びることができる。中央領域１０２は、上側領域９４よりも対応する直径が小さい、不規則な形状の外側面１０４を有することができる。外側面１０４は、開孔１００の位置および形状に厳密に追従することができる。特に、外側面１０４は、任意の選択された数の電子制御式弁アセンブリ６８に追従するように、対応して配置することができる。中央領域１０２は、各電子制御式弁アセンブリ６８と貯蔵器チャンバ５０との間を流体連通するために、各電子制御式弁アセンブリ６８の位置に対応した複数の開口１０６を有することができる。さらに、別の流体流路を設けるために、別の開孔１０８が、開孔１００と中心開孔９２との間に延びることができる。下側領域１１０は、中央領域１０２から延びることができ、すでに説明したように、圧力チューブ３０を受けるカラーとして成形することができる。
【００２５】
下側ロッドガイド６４は、流れ特性に干渉しないように、中心開孔９２の、開口１０６より実質的に上の位置で、上側シールリング１１２および下側ブッシュ１１４を収容することができる。シールリング１１２およびブッシュ１１４は、ピストンロッド３４用のさらなるシールも提供しながら、ピストンロッド３４のスライド動作に対応するように、中心開孔９２のまわりで下側ロッドガイド６４に圧入することができる。シールリング１１２は、任意の半径方向隙間を吸収することで、補助シールとして機能するＴシールまたはスリップリングとすることができる。ブッシュ１１４は、シールリング１１２を中心開孔９２内に保持するためのカラーまたは張り出し部として機能することができる。
【００２６】
回路板６６は、すでに説明したように、上側ロッドガイド６２のチャネル８４内に配置することができ、支持棒８８に当接することができる。回路板６６は、保持リング７０に当接し、回路板６６を支持するために、支持棒８８とは反対側の面に確実に保持された複数の防振装置１１６を含むことができる。回路板６６を使用して、電子制御式弁アセンブリ６８を作動させるための電力を供給することができる。例えば、各電子制御式弁アセンブリ６８は、２つの位置のそれぞれに異なる流れ領域を有する２位置弁アセンブリとすることができる。各電子制御式弁アセンブリ６８は、２つの位置間を移動するための配線接続を有することができ、配線接続は、回路板６６まで延びる。
【００２７】
電子制御式弁アセンブリ６８は、アーマチュア１１８、ばね１２０、およびコイルアセンブリ１２２を含むことができる。各アーマチュア１１８は、下側ロッドガイド６４内にスライド可能に受け入れられ、下側ロッドガイド６４内で、コイルアセンブリ１２２と、下側ロッドガイド６４内に配置されたストッパパック１２４との間を軸方向に移動する。ばね１２０は、アーマチュア１１８をコイルアセンブリ１２２から離れる方向に、ストッパパック１２４に向かって付勢する。Ｏリング１２６は、コイルアセンブリ１２２と保持リング７０との間の境界面を封止する。アーマチュア１１８は、作動チャンバ４２と貯蔵器チャンバ５０との間の流体流れを制御するフランジ１２８を画定する。コイルアセンブリ１２２は、アーマチュア１１８の軸方向移動を制御するために、下側ロッドガイド６４内に配置されている。コイルアセンブリ１２２用の配線接続は、回路板６６まで延びる。
【００２８】
コイルアセンブリ１２２に電力が全く供給されない場合、制振特性は、第１の位置にある電子制御式弁アセンブリ６８の流れ領域によって定まる。各アーマチュア１１８の移動は、電子制御式弁アセンブリ６８を第２の位置に変えるように各コイルアセンブリ１２２に電力を供給することで制御される。電子制御式弁アセンブリ６８は、各コイルアセンブリ１２２に電力を供給し続けることによって、または電子制御式弁アセンブリ６８を第２の位置に保持する手段を設け、コイルアセンブリ１２２への電力供給を切ることによって、第２の位置に保持することができる。電子制御式弁アセンブリ６８を第２の位置に保持する手段には、機械手段、磁気手段、または当技術分野で公知の他の手段があり得る。
【００２９】
第２の位置を取った後、第１の位置への移動は、各コイルアセンブリ１２２への電力供給を終わらせることによって、または保持手段に打ち勝つように、電流を逆流させる、すなわち、各コイルアセンブリ１２２に供給される電力の極性を逆転させることによって行うことができる。各電子制御式弁アセンブリ６８を流れる流量には、第１の位置および第２の位置の両方で流れ制御するための離散した設定がある。本開示が、複数の電子制御式弁アセンブリ６８を使用して説明されたが、任意の数の電子制御式弁アセンブリ６８を使用することは本開示の範囲内である。
【００３０】
複数の電子制御式弁アセンブリ６８を使用する場合に、各電子制御式弁アセンブリ６８は、１つまたは両方の位置で異なる流れ領域を有し得ることが理解されるべきである。１つまたは両方の位置で異なる流れ領域を有することで、複数の電子制御式弁アセンブリ６８にわたる全流れ領域は、個々の各電子制御式弁アセンブリ６８の位置に応じた特定の全流れ領域数に設定することができる。各電子制御式弁は、異なる流れ領域を有することができ、それらの流れ領域の組み合わせにより、利用可能な全流れ領域を定めることができる。
【００３１】
様々な電子制御式弁アセンブリ６８を保持するために、保持リング７０を上側ロッドガイド６２と下側ロッドガイド６４との間に配置することができる。例えば、図示したように、保持リング７０は、上側ロッドガイド６２に圧入することができ、または接着剤などで、上側ロッドガイド６２か、もしくは下側ロッドガイド６４に固定することもできる。保持リング７０は、中心開孔１３２が貫通する略管状の本体１３０を有することができる。本体１３０は、本体の外径部に段付き輪郭１３４を有することができる。このようにして、管状本体１３０の第１の部分は、上側ロッドガイド６２のチャネル８４内に配置することができ、一方、管状本体１３０の第２の部分は、上側ロッドガイド６２と下側ロッドガイド６４との間に配置することができる。開孔１００は、下側ロッドガイド６４の本体９０の開孔１００と同心で整列するように、本体１３０の中に延びることができる。
【００３２】
ここで図４を参照すると、ロッドガイドアセンブリ２４０がさらに詳細に示されている。ロッドガイドアセンブリ２４０は、二重チューブショックアブソーバ２０、２６か、または単一チューブショックアブソーバ１４０のいずれかの設計において、ロッドガイドアセンブリ４０の代わりに使用することができる。説明を簡単にするために、下記にショックアブソーバ２０についてのみ説明する。相応して、シールアセンブリ６０およびピストンロッド３４などの様々な共通部分は図示されず、再度詳細に説明されない。ロッドガイドアセンブリ２４０は、上側ロッドガイド２６２、下側ロッドガイド２６４、回路板２６６、少なくとも１つの電子制御式弁アセンブリ６８、保持リング２７０、および方形断面のシールリング２７２を含む。理解されるべきであるように、上側ロッドガイド２６２および下側ロッドガイド２６４は、すでに説明したように、粉末金属成形、金属射出成形（ＭＩＭ）、または他の鋳造／成形プロセスなどの従来の成形プロセスから製造することができる。
【００３３】
上側ロッドガイド２６２は、すでに説明したように、ショックアブソーバ２０に組み込むことができ、またはショックアブソーバ２０に取り付ける前に、下側ロッドガイド２６４に前もって組み付けることもできる。上側ロッドガイド２６２は、ピストンロッド３４用のシールも提供しながら、ピストンロッド３４のスライド動作に対応するように、本体２８０の中心開孔２８２で、略管状の本体２８０に組み込まれた（例えば、圧入された）上側ブッシュ２７４を有することができる。本体２８０の下側面２８６から延びる同心チャネル２８４は、少なくとも回路板２６６を受け入れる大きさとすることができ、本体２８０の下側面に挿入された複数の支持棒またはダウエルピン２８８を含むことができる。ダウエルピン２８８は、回路板２６６を上側ロッドガイド２６２内の所定の位置に保持するように機能することができる。
【００３４】
下側ロッドガイド２６４も、中心開孔２９２が貫通する略管状の本体２９０を有することができる。本体２９０は、ショックアブソーバ２０の内周面に対して封止する第１の外径部を有する上側領域２９４を有することができる。上側領域２９４は、シールリングまたはＯリング２９８を受け入れる外周溝２９６を有することができる。上側溝３００は、中心開孔２９２のまわりに同心で配置されるように、本体２９０を貫通することができる。溝３００は、電子制御式弁アセンブリ６８を受け入れ、リング２７０を保持する大きさとすることができる。ロッドガイドアセンブリ２４０で使用するのに、４つの電子制御式弁アセンブリ６８が示されているが、任意の数の電子制御式弁アセンブリ６８を設けることができる。
【００３５】
複数の開孔３０２は、上側領域２９４から、小さい方の第２の外径を有する本体２９０の下側領域３０４まで延びることができるが、下側領域３０４を完全に貫通することができない（例えば、閉じた底面を有する止まり穴）。下側領域３０４は、貯蔵チャンバまたは貯蔵器３０６を収容する大きさとすることができ、貯蔵チャンバは、電子制御式弁アセンブリ６８から排出された流体を維持する。特に、下側領域３０４は、各電子制御式弁アセンブリ６８と貯蔵器３０６との間を流体連通するために、各電子制御式弁アセンブリ６８の位置に対応した複数の開口３０８を有することができる。さらに、別の流体流路を設けるために、別の開口３１０が、開孔３０２と中心開孔２９２との間に延びることができる。下側ロッドガイド２６４はまた、すでに説明したように、二重チューブショックアブソーバとして使用する場合に、圧力チューブ３０を受けるために、下側領域３０４から突出するカラー部分３１２を含むことができる。
【００３６】
下側ロッドガイド２６４は、流れ特性に干渉しないように、中心開孔２９２の、開口３１０より実質的に上の位置で、断面が方形のシールリング２７２、上側シールリング３１４、および下側ブッシュ３１６を収容することができる。断面が方形のシールリング２７２は、下側ロッドガイド２６４の上側部分に圧入することができ、一方、上側シールリング３１４およびブッシュ３１６は、中心開孔２９２のまわりで、下側ロッドガイド２６４の下側部分に圧入することができる。断面が方形のシールリング２７２は、中心開孔２８２、２９２とチャネル２８４／溝３００との間での流体の通過を防止するために、正方形または長方形のエラストマーリング（例えば、カントシール）とすることができる。シールリング３１４およびブッシュ３１６は、ピストンロッド３４用のシールも提供しながら、ピストンロッド３４のスライド動作に対応している。シールリング３１４は、任意の半径方向隙間を吸収することで、補助シールとして機能するＴシールまたはスリップリングとすることができる。ブッシュ３１６は、シールリング３１４を中心開孔２９２内に保持するためのカラーまたは張り出し部として機能することができる。
【００３７】
下側ロッドガイド２６４はまた、中心開孔２９２から上側領域２９４の外径部まで、下り傾斜角をなして延びる交差ドリル穴３１８を含むことができる。交差ドリル穴３１８は、逆止弁３２２を受け入れる外周溝３２０を含むことができる。一例では、逆止弁３２２は、流体が中心開孔２９２から逃げるのを可能にするために、半径方向に付勢されたエラストマーシールとすることができる。
【００３８】
回路板２６６は、すでに説明したように、上側ロッドガイド２６２のチャネル２８４内に配置することができ、ダウエルピン２８８に当接することができる。特に、回路板２６６は、回路板２６６の反対の面から延び、回路板２６６を支持するダウエルピン２８８と整列する、一体に形成された複数の防振装置３２４を含むことができる。すでに説明したように、回路板２６６を使用して、電子制御式弁アセンブリ６８を作動させるための電力を供給することができる。
【００３９】
様々な電子制御式弁アセンブリ６８を保持するために、保持リング２７０を上側ロッドガイド２６２と下側ロッドガイド２６４との間に配置することができる。例えば、図示したように、保持リング２７０は、下側ロッドガイド２６４に圧入することができ、または接着剤などで、上側ロッドガイド２６２か、もしくは下側ロッドガイド２６４に固定することもできる。保持リング２７０は、中心開孔３３０が貫通する略管状の本体３２８を有することができる。本体３２８は、電子制御式弁アセンブリ６８を保持するために、チャネルが下側面に沿って延びるＵ字形状の輪郭３３２を有することができる。さらに、複数の開孔３３４は、下側ロッドガイド２６４の本体２９０の開孔３０２と同心で整列するように、本体３２８を貫通することができる。保持リング２７０はまた、保持リングの上側面に挿入された複数の支持棒またはダウエルピン３３６を含むことができる。ダウエルピン３３６は、回路板２６６を支持するために、防振装置３２４およびダウエルピン２８８と整列することができる。
【００４０】
ここで図５を参照すると、ロッドガイドアセンブリ４４０がさらに詳細に示されている。ロッドガイドアセンブリ４４０は、二重チューブショックアブソーバ２０、２６か、または単一チューブショックアブソーバ１４０のいずれかの設計において、ロッドガイドアセンブリ２４０の代わりに使用することができる。説明を簡単にするために、下記にショックアブソーバ２０についてのみ説明する。相応して、シールアセンブリ６０およびピストンロッド３４などの様々な共通部分は、再度詳細に説明されない。ロッドガイドアセンブリ４４０は、上側ロッドガイド４６２、下側ロッドガイド４６４、回路板４６６、少なくとも１つの電子制御式弁アセンブリ６８、保持リング４７０、およびガスケット４７２を含む。理解されるべきであるように、上側ロッドガイド４６２および下側ロッドガイド４６４は、すでに説明したように、粉末金属成形、金属射出成形（ＭＩＭ）、または他の鋳造／成形プロセスなどの従来の成形プロセスから製造することができる。
【００４１】
上側ロッドガイド４６２は、ショックアブソーバ２０に組み込むことができ、またはショックアブソーバ２０に取り付ける前に、下側ロッドガイド４６４に前もって組み付けることもできる。上側ロッドガイド４６２は、ピストンロッド３４用のシールも提供しながら、ピストンロッド３４のスライド動作に対応するように、本体４８０の中心開孔４８２で、略管状の本体４８０に組み込まれた（例えば、圧入された）上側ブッシュ４７４を有することができる。上側ブッシュ４７４は、すでに説明したものよりも短くすることができ、それにより、上側ロッドガイド４６２が、上側ブッシュ４７４を受けるための座を形成するのを可能にする。本体４８０の下側面４８６から延びる同心チャネル４８４は、少なくとも回路板４６６および保持リング４７０を受け入れる大きさとすることができ、チャネル４８４の底面に挿入された複数の防振装置４８８を含むことができる。防振装置４８８は、回路板４６６を上側ロッドガイド４６２内の所定の位置に保持するように機能することができる。外周溝４９０は、シールリングまたはＯリング４９２を受け入れるために、上側ロッドガイド４６２の下側部分のまわりに延びることができる。このようにして、本体４８０は、ショックアブソーバ２０の内周に対して封止することができる。
【００４２】
下側ロッドガイド４６４も、中心開孔４９６が貫通する略管状の本体４９４有することができる。複数の開孔５００は、本体４９４を貫通するように、中心開孔４９６のまわりに同心で配置することができる。開孔５００は、電子制御式弁アセンブリ６８を受け入れる大きさとすることができる。ロッドガイドアセンブリ４４０で使用するのに、４つの電子制御式弁アセンブリ６８が示されているが、任意の数の電子制御式弁アセンブリ６８を設けることができる。開孔５００は、本体４９４を完全に貫通することができない（例えば、閉じた底面５０２を有する止まり穴）。
【００４３】
本体４９４は、各電子制御式弁アセンブリ６８の位置に対応した複数の開口５０４を有することができる。開口５０４は、電子制御式弁アセンブリ６８から排出された流体を維持するための貯蔵チャンバまたは貯蔵器５０６を提供するように、底面５０２の上に距離を置いて配置することができる。開口５０４は、各電子制御式弁アセンブリ６８と貯蔵器５０６との間を流体連通するために設けることができる。さらに、別の流体流路を設けるために、別の開口５１０が、開孔５００と中心開孔４９６との間に延びることができる。下側ロッドガイド４６４はまた、すでに説明したように、二重チューブショックアブソーバとして使用する場合に、圧力チューブ３０を受けるために、本体４９４から突出するカラー部分５１２を含むことができる。
【００４４】
下側ロッドガイド４６４は、中心開孔４９６に上側シールリング５１４および下側ブッシュ５１６を収容することができる。下側ブッシュ５１６は、開口５１０での流れ特性に干渉しないように、中央領域で外径部のまわりに延びる溝５１８を有することができる。上側シールリング５１４およびブッシュ５１６は、溝５１８を開口５１０と整列させるように、中心開孔４９６のまわりで、下側ロッドガイド４６４の下側部分に圧入することができる。シールリング５１４およびブッシュ５１６は、ピストンロッド３４用の封止面も提供しながら、ピストンロッド３４のスライド動作に対応する。シールリング５１４は、任意の半径方向隙間を吸収することで、補助シールとして機能するＴシールまたはスリップリングとすることができる。ブッシュ５１６は、シールリング５１４を中心開孔４９６内に保持するためのカラーまたは張り出し部として機能することができる。
【００４５】
下側ロッドガイド４６４はまた、上側シールリング５１４より上で、中心開孔４９６から本体４９４の外径部まで、下り傾斜角をなして延びる交差ドリル穴５２０を含むことができる。交差ドリル穴５２０は、逆止弁５２４を受け入れる外周溝５２２を含むことができる。一例では、逆止弁５２４は、流体が中心開孔４９６から逃げるのを可能にするために、半径方向に付勢されたエラストマーシールとすることができる。さらに、下側ロッドガイド４６４は、保持リング４７０の相対運動を防止するために、上方に向かって保持リング４７０に入り込む複数のダウエルピン５２６を内蔵することができる。
【００４６】
回路板４６６は、すでに説明したように、上側ロッドガイド４６２のチャネル４８４内に配置することができ、防振装置４８８に当接することができる。特に、回路板４６６は、回路板４６６の反対の面から延び、回路板４６６を支持する防振装置４８８と整列する、一体に形成された複数のピン５２８を含むことができる。すでに説明したように、回路板４６６を使用して、電子制御式弁アセンブリ６８を作動させるための電力を供給することができる。
【００４７】
様々な電子制御式弁アセンブリ６８を保持するために、保持リング４７０を上側ロッドガイド４６２と下側ロッドガイド４６４との間に配置することができる。例えば、図示したように、保持リング４７０は、上側ロッドガイド４６２に圧入することができ、または接着剤などで、上側ロッドガイド４６２か、もしくは下側ロッドガイド４６４に固定することもできる。保持リング４７０は、中心開孔５３２が貫通する略管状の本体５３０を有することができる。本体５３０は、チャネル５３４が本体５３０の下側面に沿って延びて、電子制御式弁アセンブリ６８を受けるように、Ｕ字形状の輪郭を有することができる。さらに、複数の開孔５３６は、下側ロッドガイド４６４の本体４９４の開孔５００と同心で整列するように、本体５３０を貫通することができる。保持リング４７０はまた、保持リングの上側面に挿入された複数の防振装置５３８を含むことができる。防振装置５３８は、回路板４６６を支持するために、ピン５２８および防振装置４８８と整列することができる。
【００４８】
さらに、上側ロッドガイド４６２と下側ロッドガイド４６２との間の境界面にガスケット４７２を配置することができる。ガスケット４７２は、中心開孔４８２、４９６とチャネル４８４との間での流体の通過を防止するエラストマーリングとすることができる。
【００４９】
ここで図６を参照すると、ロッドガイドアセンブリ６４０がさらに詳細に示されている。ロッドガイドアセンブリ６４０は、二重チューブショックアブソーバ２０、２６か、または単一チューブショックアブソーバ１４０のいずれかの設計において、ロッドガイドアセンブリ４４０の代わりに使用することができる。説明を簡単にするために、下記にショックアブソーバ２０についてのみ説明する。相応して、シールアセンブリ６０およびピストンロッド３４などの様々な共通部分は、再度詳細に説明されない。ロッドガイドアセンブリ６４０は、上側ロッドガイド６６２、下側ロッドガイド６６４、回路板６６６、少なくとも１つの電子制御式弁アセンブリ６８、保持リング６７０、および排液戻しチューブ６７２を含む。理解されるべきであるように、上側ロッドガイド６６２および下側ロッドガイド６６４は、すでに説明したように、粉末金属成形、金属射出成形（ＭＩＭ）、または他の鋳造／成形プロセスなどの従来の成形プロセスから製造することができる。
【００５０】
上側ロッドガイド６６２は、ショックアブソーバ２０に組み込むことができ、またはショックアブソーバ２０に取り付ける前に、下側ロッドガイド６６４に前もって組み付けることもできる。上側ロッドガイド６６２は、ピストンロッド３４用のシールも提供しながら、ピストンロッド３４のスライド動作に対応するように、本体６８０の中心開孔６８２で、略管状の本体６８０に組み込まれた（例えば、圧入された）上側ブッシュ６７４を有することができる。本体６８０の下側面６８６から延びる同心チャネル６８４は、少なくとも回路板６６６および保持リング６７０を受け入れる大きさとすることができ、本体６８０の下側面に挿入されたガスケットまたは複数の防振装置６８８を含むことができる。防振装置６８８は、回路板６６６を上側ロッドガイド６６２内の所定の位置に保持するように機能することができる。
【００５１】
下側ロッドガイド６６４も、中心開孔６９２が貫通する略管状の本体６９０を有することができる。本体６９０は、ショックアブソーバ２０の内周面に対して封止する第１の外径部を有する上側領域６９４を有することができる。上側領域６９４は、シールリングまたはＯリング６９８を受け入れる外周溝６９６を有することができる。複数の開孔７００は、本体６９０を貫通するように、中心開孔６９２のまわりに同心で配置することができる。開孔７００は、電子制御式弁アセンブリ６８を受け入れる大きさとすることができる。ロッドガイドアセンブリ６４０で使用するのに、４つの電子制御式弁アセンブリ６８が示されているが、任意の数の電子制御式弁アセンブリ６８を設けることができる。開孔７００は、本体６９０を完全に貫通することができ、本体６９０の下側面に配置された栓７０２によって閉じることができる。
【００５２】
本体６９０は、各電子制御式弁アセンブリ６８の位置に対応した複数の開口７０４を有することができる。さらに、中心開孔６９２から下側ロッドガイド６６４の外部までの流体流路を形成するために、別の開口７１０が、開孔７００と中心開孔６９２との間に延びることができる。下側ロッドガイド６６４はまた、すでに説明したように、二重チューブショックアブソーバとして使用する場合に、圧力チューブ３０を受けるために、本体６９０から突出するカラー部分７１２を含むことができる。
【００５３】
下側ロッドガイド６６４は、中心開孔６９２に上側シールリング７１４および下側ブッシュ７１６を収容することができる。下側ブッシュ７１６は、開口７１０での流れ特性に干渉しないように、中央領域で外径部のまわりに延びる溝７１８を有することができる。上側シールリング７１４およびブッシュ７１６は、溝７１８を開口７１０と整列させるように、中心開孔６９２のまわりで、下側ロッドガイド６６４の下側部分に圧入することができる。シールリング７１４およびブッシュ７１６は、ピストンロッド３４用のシールも提供しながら、ピストンロッド３４のスライド動作に対応する。シールリング７１４は、任意の半径方向隙間を吸収することで、補助シールとして機能するＴシールまたはスリップリングとすることができる。ブッシュ７１６は、シールリング７１４を中心開孔６９２内に保持するためのカラーまたは張り出し部として機能することができる。
【００５４】
回路板６６６は、すでに説明したように、上側ロッドガイド６６２のチャネル６８４内に配置することができ、防振装置６８８に当接することができる。特に、回路板６６６は、回路板６６６の反対の面から延び、回路板６６６を支持する防振装置６８８と整列する、一体に形成された複数のピン７２８を含むことができる。すでに説明したように、回路板６６６を使用して、電子制御式弁アセンブリ６８を作動させるための電力を供給することができる。
【００５５】
様々な電子制御式弁アセンブリ６８を保持するために、保持リング６７０を上側ロッドガイド６６２と下側ロッドガイド６６４との間に配置することができる。例えば、図示したように、保持リング６７０は、上側ロッドガイド６６２に圧入することができ、または接着剤などで、上側ロッドガイド６６２か、もしくは下側ロッドガイド６６４に固定することもできる。保持リング６７０は、中心開孔７３２が貫通する略管状の本体７３０を有することができる。本体７３０は、チャネル７３４がその下側面に沿って延びて、電子制御式弁アセンブリ６８を保持するように、Ｕ字形状の輪郭を有することができる。さらに、複数の開孔７３６は、電子制御式弁アセンブリ６８および排液戻しチューブ６７２を受け入れるために、本体７３０を貫通することができる。保持リング６７０はまた、保持リングの上側面に挿入されたガスケットまたは複数の防振装置７３８を含むことができる。防振装置７３８は、回路板６６６を支持するために、ピン７２８および防振装置６８８と整列することができる。
【００５６】
排液戻しチューブ６７２は、上側ロッドガイド６６２の開口７９５と下側ロッドガイド６６２の開口７９６との間に延びるように配置することができる。排液戻しチューブ６７２は、シールアセンブリ６０と貯蔵器チャンバ５０との間の流体流れを可能にするための、金属射出成形された、または鋳造されたチューブとすることができる。排液戻しチューブ６７２は、上側ロッドガイド６６２との境界において、Ｏリング７４０で封止することができ、下側ロッドガイド６６４との境界において、Ｏリング７４２で封止することができる。
【００５７】
ここで図７を参照すると、ロッドガイドアセンブリ８４０がさらに詳細に示されている。ロッドガイドアセンブリ８４０は、二重チューブショックアブソーバ２０、２６か、または単一チューブショックアブソーバ１４０のいずれかの設計において、ロッドガイドアセンブリ６４０の代わりに使用することができる。説明を簡単にするために、下記にショックアブソーバ２０についてのみ説明する。相応して、シールアセンブリ６０およびピストンロッド３４などの様々な共通部分は、再度詳細に説明されない。ロッドガイドアセンブリ８４０は、上側ロッドガイド８６２、下側ロッドガイド８６４、回路板８６６、弁スリーブ８７０内に配置された少なくとも１つの電子制御式弁アセンブリ６８、保持リング８７２、および排液戻しチューブ８７４を含む。理解されるべきあるように、上側ロッドガイド８６２および下側ロッドガイド８６４は、すでに説明したように、粉末金属成形、金属射出成形（ＭＩＭ）、または他の鋳造／成形プロセスなどの従来の成形プロセスから製造することができる。
【００５８】
上側ロッドガイド８６２は、ショックアブソーバ２０に組み込むことができ、またはショックアブソーバ２０に取り付ける前に、下側ロッドガイド８６４に前もって組み付けることもできる。上側ロッドガイド８６２は、ピストンロッド３４用のシールも提供しながら、ピストンロッド３４のスライド動作に対応するように、本体８８０の中心開孔８８２で、略管状の本体８８０に組み込まれた（例えば、圧入された）上側ブッシュ８７６を有することができる。本体８８０の下側面８８６から延びる同心チャネル８８４は、少なくとも回路板８６６および保持リング８７２を受け入れる大きさとすることができ、本体８８０の下側面に挿入されたガスケットまたは複数の防振装置８８８を含むことができる。防振装置８８８は、回路板８６６を上側ロッドガイド８６２内の所定の位置に保持するように機能することができる。
【００５９】
下側ロッドガイド８６４も、中心開孔８９２が貫通する略管状の本体８９０を有することができる。本体８９０は、ショックアブソーバ２０の内周面に対して封止する第１の外径部を有する上側領域８９４を有することができる。上側領域８９４は、シールリングまたはＯリング８９８を受け入れる外周溝８９６を有することができる。複数の開孔９００は、本体８９０を貫通するように、中心開孔８９２のまわりに同心で配置することができる。開孔９００は、弁スリーブ８７０を受け入れる大きさとすることができる。ロッドガイドアセンブリ８４０で使用するのに、電子制御式弁アセンブリ６８を収容する４つのスリーブ８７０が示されているが、任意の数のスリーブ８７０／電子制御式弁アセンブリ６８を設けることができる。スリーブ８７０は、本体８９０を貫通することができ、本体８９０の拡張部分９０４に沿って着座することができる。スリーブ８７０はまた、上側ロッドガイド８６２に入り込む部分で、保持リング８７２に入り込むことができる。
【００６０】
スリーブ８７０は、各電子制御式弁アセンブリ６８の位置に対応した複数の開口９０８を有する深絞りチューブとすることができる。さらに、中心開孔８９２から下側ロッドガイド８６４の外部までの流体流路を提供するために、別の開口９１０が、開孔９００と中心開孔８９２との間に延びることができる。下側ロッドガイド８６４はまた、すでに説明したように、二重チューブショックアブソーバとして使用する場合に、圧力チューブ３０を受けるために、本体８９０から突出するカラー部分９１２を含むことができる。
【００６１】
下側ロッドガイド８６４は、流れ特性に干渉しないように、中心開孔８９２の、開口９１０より実質的に上の位置で、上側シールリング９１４および下側ブッシュ９１６を収容することができる。上側シールリング９１４およびブッシュ９１６は、ピストンロッド３４用のシールも提供しながら、ピストンロッド３４のスライド動作に対応するように、中心開孔８９２のまわりで下側ロッドガイド８６４に圧入することができる。シールリング９１４は、任意の半径方向隙間を吸収することで、補助シールとして機能するＴシールまたはスリップリングとすることができる。ブッシュ９１６は、シールリング９１４を中心開孔８９２内に保持するためのカラーまたは張り出し部として機能することができる。
【００６２】
回路板８６６は、すでに説明したように、上側ロッドガイド８６２のチャネル８８４内に配置することができ、防振装置８８８に当接することができる。特に、回路板８６６は、回路板８６６の反対の面から延び、回路板８６６を支持する防振装置８８８と整列する、一体に形成された複数のピン９２８を含むことができる。すでに説明したように、回路板８６６を使用して、電子制御式弁アセンブリ６８を作動させるための電力を供給することができる。
【００６３】
保持リング８７２は、様々なスリーブ８７０および電子制御式弁アセンブリ６８を保持するために、上側ロッドガイド８６２と下側ロッドガイド８６４との間に配置することができる。図示したように、保持リング８７２は、上側ロッドガイド８６２に部分的に入り込むことができ、または任意の公知の方法で、上側ロッドガイド８６２か、もしくは下側ロッドガイド８６４に固定することもできる。保持リング８７２は、中心開孔９３２が貫通する略管状の本体９３０を有することができる。さらに、複数の開孔９３６は、電子制御式弁アセンブリ６８および排液戻しチューブ８７４を受け入れるために、本体９３０を貫通することができる。保持リング８７２はまた、保持リングの上側面に配置されたガスケットまたは複数の防振装置９３８を含むことができる。防振装置９３８は、回路板８６６を支持するために、ピン９２８および防振装置８８８と整列することができる。
【００６４】
排液戻しチューブ８７４は、上側ロッドガイド８６２の開口９９５と下側ロッドガイド８６２の開口９９６との間に延びるように配置することができる。排液戻しチューブ８７４は、シールアセンブリ６０と貯蔵器チャンバ５０との間の流体流れを可能にするための、金属射出成形された、または鋳造されたチューブとすることができる。排液戻しチューブ８７４は、上側ロッドガイド８６２との境界において、Ｏリング９４０で封止することができ、下側ロッドガイド８６４との境界において、Ｏリング９４２で封止することができる。
【００６５】
ここで図８を参照すると、ロッドガイドアセンブリ１０４０がさらに詳細に示されている。ロッドガイドアセンブリ１０４０は、二重チューブショックアブソーバ２０、２６か、または単一チューブショックアブソーバ１４０のいずれかの設計において、ロッドガイドアセンブリ８４０の代わりに使用することができる。説明を簡単にするために、下記にショックアブソーバ２０についてのみ説明する。相応して、シールアセンブリ６０およびピストンロッド３４などの様々な共通部分は、再度詳細に説明されない。ロッドガイドアセンブリ１０４０は、上側ロッドガイド１０６２、下側ロッドガイド１０６４、回路板１０６６、少なくとも１つの電子制御式弁アセンブリ６８、および保持リング１０７０を含む。理解されるべきあるように、上側ロッドガイド１０６２および下側ロッドガイド１０６４は、すでに説明したように、粉末金属成形、金属射出成形（ＭＩＭ）、または他の鋳造／成形プロセスなどの従来の成形プロセスから製造することができる。
【００６６】
上側ロッドガイド１０６２は、ショックアブソーバ２０に組み込むことができ、またはショックアブソーバ２０に取り付ける前に、下側ロッドガイド１０６４に前もって組み付けることもできる。図示したように、例えば、上側ロッドガイド１０６２と下側ロッドガイド１０６４との間の境界に接着塗料１０７２を塗布することができる。接着塗料１０７２は、上側ロッドガイド１０６２および下側ロッドガイド１０６４を共に保持することができ、別のガスケット部材を必要とすることなく、接合境界面を封止することができる。
【００６７】
上側ロッドガイド１０６２は、ピストンロッド３４用のシールも提供しながら、ピストンロッド３４のスライド動作に対応するように、本体１０８０の中心開孔１０８２で、略管状の本体１０８０に組み込まれた（例えば、圧入された）上側ブッシュ１０７４を有することができる。上側ブッシュ１０７４は、短いブッシュとすることができ、それにより、上側ロッドガイド１０６２が、上側ブッシュ１０７４を受けるための座を形成するのを可能にする。本体１０８０の下側面１０８６から延びる同心チャネル１０８４は、少なくとも回路板１０６６および保持リング１０７０を受け入れる大きさとすることができ、本体１０８０の下側面に挿入されたガスケットまたは複数の防振装置１０８８を含むことができる。防振装置１０８８は、回路板１０６６を上側ロッドガイド１０６２内の所定の位置に保持するように機能することができる。外周溝１０９０は、シールリングまたはＯリング１０９２を受け入れるために、上側ロッドガイド１０６２の下側部分のまわりに延びることができる。このようにして、本体１０８０は、ショックアブソーバ２０の内周に対して封止することができる。
【００６８】
下側ロッドガイド１０６４も、中心開孔１０９６が貫通する略管状の本体１０９４を有することができる。複数の開孔１１００は、本体１０９４を貫通するように、中心開孔１０９６のまわりに同心で配置することができる。開孔１１００は、電子制御式弁アセンブリ６８を受け入れる大きさとすることができる。ロッドガイドアセンブリ１０４０で使用するのに、４つの電子制御式弁アセンブリ６８が示されているが、任意の数の電子制御式弁アセンブリ６８を設けることができる。開孔１１００は、本体１０９４を完全に貫通することができない（例えば、閉じた底面１１０２を有する止まり穴）。
【００６９】
本体１０９４は、各電子制御式弁アセンブリ６８の位置に対応した複数の開口１１０４を有することができる。開口１１０４は、電子制御式弁アセンブリ６８から排出された流体を維持するための貯蔵チャンバまたは貯蔵器１１０６を提供するように、底面１１０２の上に距離を置いて配置することができる。開口１１０４により、各電子制御式弁アセンブリ６８と貯蔵器１１０６との間を流体連通することができる。さらに、別の流体流路を設けるために、別の開口１１１０が、開孔１１００と中心開孔１０９６との間に延びることができる。
【００７０】
下側ロッドガイド１０６４は、排液を戻すために、半径方向スロット１１１２を含むこともできる。半径方向スロット１１１２は、中心開孔１０９６から本体１０９４の上側面１１１４を通って延びることができる。チャネル１１１６は、半径方向スロット１１１２の末端から本体１０９４を貫通するように、半径方向スロット１１１２に交差して延びることができる。したがって、半径方向スロット１１１２およびチャネル１１１６は、シールアセンブリ６０と貯蔵器チャンバ５０との間の流体路を提供することができる。下側ロッドガイド１０６４はまた、すでに説明したように、二重チューブショックアブソーバとして使用する場合に、圧力チューブ３０を受けるために、本体１０９４から突出するカラー部分１１１８を含むことができる。
【００７１】
下側ロッドガイド１０６４は、中心開孔１０９６に上側シールリング１１２０および下側ブッシュ１１２２を収容することができる。下側ブッシュ１１２２は、開口１１１０での流れ特性に干渉しないように、中央領域で外径部のまわりに延びる溝１１２４を有することができる。上側シールリング１１２０およびブッシュ１１２２は、溝１１２４を開口１１１０と整列させるように、中心開孔１０９６のまわりで、下側ロッドガイド１０６４の下側部分に圧入することができる。シールリング１１２０およびブッシュ１１２２は、ピストンロッド３４用のシールも提供しながら、ピストンロッド３４のスライド動作に対応する。シールリング１１２０は、任意の半径方向隙間を吸収することで、補助シールとして機能するＴシールまたはスリップリングとすることができる。ブッシュ１１２２は、シールリング１１２０を中心開孔１０９６内に保持するためのカラーまたは張り出し部として機能することができる。
【００７２】
回路板１０６６は、すでに説明したように、上側ロッドガイド１０６２のチャネル１０８４内に配置することができ、防振装置１０８８に当接することができる。特に、回路板１０６６は、回路板１０６６の反対の面から延び、回路板１０６６を支持する防振装置１０８８と整列する、一体に形成された複数のピン１１２８を含むことができる。すでに説明したように、回路板１０６６を使用して、電子制御式弁アセンブリ６８を作動させるための電力を供給することができる。
【００７３】
様々な電子制御式弁アセンブリ６８を保持するために、保持リング１０７０を上側ロッドガイド１０６２と下側ロッドガイド１０６４との間に配置することができる。例えば、図示したように、保持リング１０７０は、上側ロッドガイド１０６２に圧入することができ、または接着剤などで、上側ロッドガイド１０６２か、もしくは下側ロッドガイド１０６４に固定することもできる。保持リング１０７０は、中心開孔１１３２が貫通する略管状の本体１１３０を有することができる。本体１１３０は、チャネル１１３４がその下側面に沿って延びて、電子制御式弁アセンブリ６８を保持するように、Ｕ字形状の輪郭を有することができる。さらに、複数の開孔１１３６は、下側ロッドガイド１０６４の本体１０９４の開孔１１００と同心で整列するように、本体１１３０を貫通することができる。保持リング１０７０はまた、保持リングの上側面に挿入された複数の防振装置１１３８を含むことができる。防振装置１１３８は、回路板１０６６を支持するために、ピン１１２８および防振装置１０８８と整列することができる。
【００７４】
実施形態の前述の説明は、例示および説明のために提示された。実施形態は、網羅的であることを意図されておらず、または本発明を限定することも意図されていない。特定の実施形態の個々の要素または特徴部は、通常、その特定の実施形態に限定されるのではなく、具体的に図示または説明していなくても、適用可能な場合に、選択された実施形態において交換可能であり、使用することができる。同一のものを様々な方法で変えることもできる。そのような変形形態は、本発明からの逸脱とみなすべきではなく、そのような修正形態のすべては、本発明の範囲内に含まれることを意図されている。
【図１】
0006328742.tif 000002
【図２】
0006328742.tif 000003
【図３】
0006328742.tif 000004
【図４】
0006328742.tif 000005
【図５】
0006328742.tif 000006
【図６】
0006328742.tif 000007
【図７】
0006328742.tif 000008
【図８】
0006328742.tif 000009